(57)【要約】【課題】容易にプレートを引き抜くことが可能で、プレート保持具の固定状態が損なわれたり、プレートが損傷したりすることを防止することが可能なプレート保持具を提供する。【解決手段】適宜箇所に固定される基体１に一対の枠部１１，１２を立設し、枠部１１，１２の内側にプレート２を挟持する一対の板３ａ，３ｂを有する可動部３を設け、枠部１１，１２間及び可動部３にプレート２を差し込んで保持するようにしており、可動部３は、プレート２の差し込み及び引き抜き方向に移動可能であって、両板３ａ，３ｂ間に間隔を設けた開口端部３０を有しており、可動部３に挟持されたプレート２を引っ張ると、可動部３が引き抜き方向に移動し、可動部３の開口端部３０の内面が枠部１１，１２に接触しつつ可動部３の両板３ａ，３ｂが開くことにより、可動部３のプレート２に対する挟持力が弱まるようにしている。【選択図】図１
2010046183.tif 000002
【特許請求の範囲】
【請求項１】
適宜箇所に固定される基体（１）に一対の枠部（１１）（１２）を立設し、枠部（１１）（１２）の内側にプレート（２）を挟持する一対の板（３ａ）（３ｂ）を有する可動部（３）を設け、枠部（１１）（１２）間及び可動部（３）にプレート（２）を差し込んで保持するようにしており、可動部（３）は、プレート（２）の差し込み及び引き抜き方向に移動可能であって、両板（３ａ）（３ｂ）間に間隔を設けた開口端部（３０）を有しており、可動部（３）に挟持されたプレート（２）を引っ張ると、可動部（３）が引き抜き方向に移動し、可動部（３）の開口端部（３０）の内面が枠部（１１）（１２）に接触しつつ可動部（３）の両板（３ａ）（３ｂ）が開くことにより、可動部（３）のプレート（２）に対する挟持力が弱まるようにしていることを特徴とするプレート保持具。
【請求項２】
可動部（３）の一対の板（３ａ）（３ｂ）が、磁力により互いに吸引されるようにしたものである請求項１記載のプレート保持具。
【請求項３】
可動部（３）が、開口端部（３０）の反対側の端部（３３）で回動可能に連結された一対の板（３ａ）（３ｂ）からなるとともに、当該端部（３３）の両側に突起（３３ａ）（３３ｂ）を設け、各突起（３３ａ）（３３ｂ）が一対の枠部（１１）（１２）の間の隙間（１５）に入って、スライドできるようにしている請求項１又は２記載のプレート保持具。
【発明の詳細な説明】
【技術分野】
【０００１】
この発明は、パチンコ機等の遊技機を設置している遊技機店や、各種の商品の販売店等で使用できるプレート保持具に関するものである。
【背景技術】
【０００２】
従来、パチンコ等の遊技機を設置している遊技機店においては、遊技機の機種やメーカー名、店舗が推奨する遊技機の情報等を、客の目に付くように表示するため、非特許文献１に記載のようなプレート保持具が使用されている。このプレート保持具は、適宜箇所に固定される基体に立設した一対の板部の間にプレートを差し込んで保持するようにしたものであり、より確実にプレートを挟持できるようにしたものとして、非特許文献２に記載のような、一対の板部に磁石を設けて互いに吸引されるようにしたものがある。
【０００３】
これらの従来のプレート保持具は、基体の裏側の面を両面テープで遊技機の周縁部の上部に接着して固定することが多いが、プレートを取り外す際、一対の板部の間に挟持された状態のプレートを引っ張ると、両面テープが剥がれ、固定状態が損なわれることが多かった。また、プレートが前記一対の板部に強く挟持されているために引き抜きにくかったり、引き抜く際にプレートが損傷したりすることもあった。
【非特許文献１】株式会社大栄商事、"６０２〔Ｔ型キャッチプレート〕"、［online］、［平成２０年７月２４日検索］、インターネット＜ＵＲＬ: http://www.daiei-syoji.co.jp/scb/shop/shop.cgi?No=602＞
【非特許文献２】有限会社メディアセレクト、"キャッチプレート"、［online］、［平成２０年７月２４日検索］、インターネット＜ＵＲＬ: http://www.media-select.co.jp/mart/mart3.html＞
【発明の開示】
【発明が解決しようとする課題】
【０００４】
そこで、この発明は、容易にプレートを引き抜くことが可能で、プレート保持具の固定状態が損なわれたり、プレートが損傷したりすることを防止することが可能なプレート保持具を提供することを課題とする。
【課題を解決するための手段】
【０００５】
前記課題を解決するため、この発明は次のような技術的手段を講じている。
【０００６】
この発明のプレート保持具は、適宜箇所に固定される基体１に一対の枠部１１，１２を立設し、枠部１１，１２の内側にプレート２を挟持する一対の板３ａ，３ｂを有する可動部３を設け、枠部１１，１２間及び可動部３にプレート２を差し込んで保持するようにしており、可動部３は、プレート２の差し込み及び引き抜き方向に移動可能であって、両板３ａ，３ｂ間に間隔を設けた開口端部３０を有しており、可動部３に挟持されたプレート２を引っ張ると、可動部３が引き抜き方向に移動し、可動部３の開口端部３０の内面が枠部１１，１２に接触しつつ可動部３の両板３ａ，３ｂが開くことにより、可動部３のプレート２に対する挟持力が弱まるようにしたものとしている。
【０００７】
さらに、可動部３の一対の板３ａ，３ｂが、磁力により互いに吸引されるようにしたものとすることができる。
【０００８】
また、可動部３が、開口端部３０の反対側の端部３３で回動可能に連結された一対の板３ａ，３ｂからなるとともに、当該端部３３の両側に突起３３ａ，３３ｂを設け、各突起３３ａ，３３ｂが一対の枠部１１，１２の間の隙間１５に入って、スライドできるようにしたものとすることができる。
【発明の効果】
【０００９】
この発明のプレート保持具は、上述のような構成を有しており、可動部３に挟持されたプレート２を引っ張ると、可動部３が開いてプレート２に対する挟持力が弱まるため、プレート２を引き抜く際にさほど強い力を要せず、容易にプレート２を引き抜くことが可能であり、プレート保持具の固定状態が損なわれたり、プレート２が損傷したりすることを防止できる。
【発明を実施するための最良の形態】
【００１０】
以下、この発明の好適な実施形態を、図面を参照して説明する。
【００１１】
図１はこの発明の実施形態のプレート保持具の斜視図、図２は右側面図、図３は左側面図、図４は平面図、図５は分解状態の斜視図、図６はプレート２を保持した状態の正面図、図７は同横断面図（Ａ−Ａ線断面図）、図８はプレート２を引き抜く途中の状態の正面図、図９は同横断面図（Ｂ−Ｂ線断面図）である。
【００１２】
このプレート保持具は、適宜箇所に固定される基体１に一対の枠部１１，１２を立設し、枠部１１，１２の内側にプレート２を挟持する一対の板３ａ，３ｂを有する可動部３を設け、枠部１１，１２間及び可動部３にプレート２を差し込んで保持するようにしており、可動部３は、プレート２の差し込み及び引き抜き方向に移動可能であって、両板３ａ，３ｂ間に間隔を設けた開口端部３０を有しており、可動部３に挟持されたプレート２を引っ張ると、可動部３が引き抜き方向に移動し、可動部３の開口端部３０の内面が枠部１１，１２に接触しつつ可動部３の両板３ａ，３ｂが開くことにより、可動部３のプレート２に対する挟持力が弱まるようにしたものである。
【００１３】
なお、図６のように、可動部３の板３ａが正面にくるように設置した場合を基準にして上下左右の方向を定めているが、このプレート保持具の設置方向は適宜変更することができる。
【００１４】
基体１は適宜の硬質プラスチック製であり、図１、図２に示したように、略長方形の板状部１０と、板状部１０の表側の面に対してそれぞれ垂直に立設された互いに対向する一対の枠部１１，１２からなる。基体１は、２個の半体を組み合わせてなるものとしており、各半体は、それぞれ略半分に分割された板状部１００，１０１と各１つの枠部１１，１２が一体に形成されている。
【００１５】
各半体の分割された板状部１００，１０１は、それぞれ適宜間隔で形成された２個の突起１３と２個の穴１４を有しており、図３に示したように、これらの突起１３と穴１４が互いに係合するようにしている。
【００１６】
各枠部１１，１２は、分割された板状部１００，１０１の上端側と下端側からそれぞれ延びる立設部分１１ａ，１１ｂ，１２ａ，１２ｂと、これら立設部分１１ａ，１１ｂ，１２ａ，１２ｂの先端部間に設けられる開口側部分１１ｃ，１２ｃからなる、略コ字状の形状としている。
【００１７】
両枠部１１，１２間には隙間１５があり、この隙間１５にプレート２を抜き差し可能としている。この隙間１５は、両枠部１１，１２でプレート２を挟持できるほどに狭くする必要はない。また、図４等に示したように、各枠部１１，１２の立設部分１１ａ，１１ｂ，１２ａ，１２ｂの先端部及び開口側部分１１ｃ，１２ｃは略ハ字状で、対向する枠部１１，１２が互いに反対側に反り返ったような形状であり、それぞれ互いの間隔が広がるように緩やかにカーブし、枠部１１，１２が開口側において開いた形状となっている。
【００１８】
可動部３は、基体１と同様の適宜の硬質プラスチック製であり、互いに対向する一対の略長方形の板３ａ，３ｂからなり、プレート２を差し込む側において開いた形状の開口端部３０を有する。開口端部３０において、各板３ａ，３ｂの内側は、それぞれ先端側に進むにつれて対向する板から離れるように形成された傾斜面３１を有し、さらにこの傾斜面３１に続いて、対向する板と互いに平行になった面３２を有している。
【００１９】
このように、可動部３は、両板３ａ，３ｂの前記傾斜面３１により、開口端部３０の奥に略Ｖ字状の内面を有する態様となっている。また、傾斜面３１と、これに続く開口側の反対側の内面との接続箇所は、プレート２をスムーズに差し込めるように、滑らかな曲面となっている。
【００２０】
可動部３の各板３ａ，３ｂの開口端部３０を除く部分の内面はプレート２と接触する部分であり、大部分の領域が平面となっている。また、可動部３の各板３ａ，３ｂには、外側の面の略中央部に形成した窪みに磁石４を装着し、両板３ａ，３ｂが磁石４の磁力により互いに吸引されるようにしている。図示したように磁石４はボタン型磁石とし、上下方向に直列に４個配したものとすることができるが、１個の長方形状の磁石４とするなど、適宜変更して実施してもよい。
【００２１】
可動部３の各板３ａ，３ｂは、正面視の上下方向の長さが前記枠部１１，１２の両立設部分１１ａ，１１ｂ，１２ａ，１２ｂ間にほぼ隙間が生じない程度であり、左右方向（プレート２の差し込み及び引き抜き方向）の長さは前記枠部１１，１２の開口側部分１１ｃ，１２ｃと基体１の板状部１０間の間隔よりやや長いが、前記開口端部３０を除く部分の左右方向の長さはこれより短くなっており、この短くなった分、可動部３が左右方向に移動可能となっている。
【００２２】
可動部３の各板３ａ，３ｂは、開口端部３０の反対側の端部３３が板状部１０に接する位置にあるときは、図４に示したように、開口端部３０における前記傾斜面３１に続く先端側の互いに平行な面３２が、前記両枠部１１，１２の開口側部分１１ｃ，１２ｃの開口側と反対側の縁部の外面に接するようにしている。
【００２３】
可動部３は、その両板３ａ，３ｂが開口端部３０の反対側の端部３３で回動可能に連結されるようにした蝶番状の連結部分を有している。この連結部分は、図５等に示したように、一方の板３ｂの上半部において、プレート２の差し込み方向に突出するように形成した２つの突出部３３０，３３１の間に軸部３３２を形成し、他方の板３ａの上半部において、前記各突出部３３０，３３１と回動可能に接する２つの曲面状凹部３３３，３３４と、この２つの曲面状凹部３３３，３３４の間に板３ａの内面側に隆起するように形成された前記軸部３３２の周面に接する係合部３３５を形成している。そして、一方の板３ｂの下半部を前記他方の板３ａの上半部と同様に構成するとともに、他方の板３ａの下半部を前記一方の板３ｂの上半部と同様に構成したものとしている。
【００２４】
また、各板３ａ，３ｂの上端側、下端側の突出部３３０には、それぞれ下方、上方に突出する突起３３ａ，３３ｂを設けており、各板３ａ，３ｂを連結してできた可動部３が、その連結部分の両側に突起３３ａ，３３ｂを有するものとなるようにしている。
【００２５】
このプレート保持具は、図５に示した分解状態から、基体１の両半体の枠部１１，１２間において、可動部３の各板３ａ，３ｂを連結するとともに、連結部分の各突起３３ａ，３３ｂを両枠部１１，１２間に入れ、基体１の両半体を連結することにより完成する。
【００２６】
可動部３は、連結部分の両側の各突起３３ａ，３３ｂが一対の枠部１１，１２の間の隙間１５に入って、プレート２の差し込み及び引き抜き方向にスライドできるようになっている。
【００２７】
このプレート保持具は、基体１の板状部１０の裏面に両面テープを貼り、遊技機の周縁部等に固定することができる。なお、基体１の板状部１０の適宜箇所に孔を設け、ビスで遊技機等に固定するようにしてもよい。
【００２８】
プレート２は、遊技機の機種やメーカー名、店舗が推奨する遊技機の情報等、例えば「新機種登場」や「大当たり中」といった表示を付したものであり、突出した部分を形成して、この部分をプレート２保持に挟持させることができる。プレート２は、図示したような円形のほか、四角形その他適宜の形状とすることができる。
【００２９】
このプレート保持具の枠部１１，１２間及び可動部３の両板３ａ，３ｂ間にプレート２を差し込んで保持させると、図６、図７に示したような状態となり、プレート２は、可動部３にしっかりと挟持され、脱落しないようになっている。
【００３０】
この状態では、可動部３は、連結部分のある側の端部３３が基体１の表面に接するが、前記隙間１５に突起３３ａ，３３ｂが入っているとともに、各板３ａ，３ｂの開口端部３０が枠部１１，１２の位置に達しているので、基体１から脱落することはない。
【００３１】
プレート２を取りはずす場合には、プレート２を引っ張って引き抜けばよい。この際、図８、図９に示したように、プレート２とともに可動部３が引き抜き方向に移動し、可動部３の開口端部３０に基体１の枠部１１，１２の開口側部分１１ｃ，１２ｃが進入してきて、可動部３の開口端部３０の各板３ａ，３ｂの内面が各枠部１１，１２の開口側部分１１ｃ，１２ｃに接触しつつ移動する。
【００３２】
前記開口側部分１１ｃ，１２ｃの外面は、それぞれ互いの間隔が広がるように傾斜しており、可動部３の各板３ａ，３ｂはこれらに沿って移動するため、可動部３が連結部分を軸に回動し、開口側が少し開いた状態となる。さらに、可動部３の開口端部３０の傾斜面３１が、前記開口側部分１１ｃ，１２ｃに接触しつつ移動することによっても可動部３が開く。
【００３３】
このように、可動部３が開いてプレート２に対する挟持力が弱まるため、プレート２を引き抜く際にさほど強い力を要せず、容易にプレート２を取り去ることが可能である。したがって、プレート保持具の基体１が両面テープで遊技機の周縁部に固定されている場合でも、プレート保持具の固定状態が損なわれることを防止でき、また、引き抜く際にプレート２が損傷したりすることも防止できる。
【００３４】
なお、可動部３の各板３ａ，３ｂの磁石４を設けた窪みには、その形状にあわせて作製した図１０に示したようなカバー５を嵌合させ、磁石４の脱落を防止するとともに、各板３ａ，３ｂの磁石４の周囲の表面が面一となるようにすることができる。
【００３５】
以上がこの発明の実施形態であるが、この発明は、前述の実施形態に限定されるものではなく、素材、形状、寸法等を適宜変更して実施することができる。
【図面の簡単な説明】
【００３６】
【図１】この発明の実施形態のプレート保持具の斜視図である。
【図２】この発明の実施形態のプレート保持具の右側面図である。
【図３】この発明の実施形態のプレート保持具の左側面図である。
【図４】この発明の実施形態のプレート保持具の平面図である。
【図５】この発明の実施形態のプレート保持具の分解状態の斜視図である。
【図６】この発明の実施形態のプレート保持具のプレートを保持した状態の正面図である。
【図７】この発明の実施形態のプレート保持具のプレートを保持した状態の横断面図である。
【図８】この発明の実施形態のプレート保持具のプレートを引き抜く途中の状態の正面図である。
【図９】この発明の実施形態のプレート保持具のプレートを引き抜く途中の状態の横断面図である。
【図１０】この発明の実施形態のプレート保持具の磁石を設けた窪みに嵌合させるカバーの斜視図である。
【符号の説明】
【００３７】
１  基体
１１，１２  枠部
１５  隙間
２  プレート
３  可動部
３ａ，３ｂ  板
３０  開口端部
３３  開口端部の反対側の端部
３３ａ，３３ｂ  突起
【図１】
2010046183.tif 000003
【図２】
2010046183.tif 000004
【図３】
2010046183.tif 000005
【図４】
2010046183.tif 000006
【図５】
2010046183.tif 000007
【図６】
2010046183.tif 000008
【図７】
2010046183.tif 000009
【図８】
2010046183.tif 000010
【図９】
2010046183.tif 000011
【図１０】
2010046183.tif 000012